(57)【要約】【課題】ＣＡＶ制御の光ディスクにデータを記録する際に、記録パワーを最適化する。【解決手段】光ディスクをＣＡＶ駆動する。コントローラ３は光ディスクを複数のゾーンに分割し、各ゾーンの最内周における最適記録パワーを、テストエリアにおいて設定した最適記録パワーＰｏ、線速度の比率Ｒｉ、及び調整量Ｍｉに基づき算出する。調整量Ｍｉは、記録パワーＰｏ・Ｒｉでデータを記録したときのβ値と目標β値との相違に基づき算出される。最外周についても同様に調整量Ｍｏに基づき算出される。ユーザデータを記録した後に、ユーザデータのβ値に基づいて調整量Ｍｉ、Ｍｏをそれぞれ更新する。【選択図】図１
2008004231.tif 000002
【特許請求の範囲】
【請求項１】
光ディスクにデータを記録する光ディスク装置であって、
前記光ディスクを内周側から外周側に向けて線速度が増大するように駆動する駆動手段と、
所定線速度において最適記録パワーを設定する手段と、
前記光ディスクを半径方向に複数のゾーンに分割し、あるゾーンの最内周位置における最適記録パワーを、前記所定線速度における最適記録パワーと、前記所定線速度と前記最内周位置における線速度の比、並びに前記最内周位置において記録されたデータのβ値と目標β値との相違に基づいて算出する手段と、
算出された最内周位置における最適記録パワーに基づき、前記あるゾーン内の任意の線速度における最適記録パワーを算出する手段と、
を有することを特徴とする光ディスク装置。
【請求項２】
請求項１記載の装置において、さらに、
算出された前記最内周位置における最適記録パワーにより記録されたデータのβ値と目標β値との第２の相違を検出して前記相違を更新する手段と、
を有することを特徴とする光ディスク装置。
【請求項３】
光ディスクにデータを記録する光ディスク装置であって、
前記光ディスクを内周側から外周側に向けて線速度が増大するように駆動する駆動手段と、
所定線速度において最適記録パワーを設定する手段と、
前記光ディスクを半径方向に複数のゾーンに分割し、あるゾーンの最外周位置における最適記録パワーを、前記所定線速度における最適記録パワーと、前記所定線速度と前記最外周位置における線速度の比、並びに前記最外周位置において記録されたデータのβ値と目標β値との相違に基づいて算出する手段と、
算出された最外周位置における最適記録パワーに基づき、前記あるゾーン内の任意の線速度における最適記録パワーを算出する手段と、
を有することを特徴とする光ディスク装置。
【請求項４】
請求項３記載の装置において、さらに、
算出された前記最外周位置における最適記録パワーにより記録されたデータのβ値と目標β値との第２の相違を検出して前記相違を更新する手段と、
を有することを特徴とする光ディスク装置。
【請求項５】
光ディスクにデータを記録する光ディスク装置であって、
前記光ディスクを内周側から外周側に向けて線速度が増大するように駆動する駆動手段と、
所定線速度において最適記録パワーを設定する手段と、
前記光ディスクを半径方向に複数のゾーンに分割し、あるゾーンの最内周位置における最適記録パワーを、前記所定線速度における最適記録パワーと、前記所定線速度と前記最内周位置における線速度の比、並びに前記最内周位置において記録されたデータのβ値と目標β値との第１の相違に基づいて算出する手段と、
前記あるゾーンの最外周位置における最適記録パワーを、前記所定線速度における最適記録パワーと、前記所定線速度と前記最外周位置における線速度の比、並びに前記最外周位置において記録されたデータのβ値と目標β値との第２の相違に基づいて算出する手段と、
算出された最内周位置における最適記録パワー及び最外周位置における最適記録パワーに基づき、前記あるゾーン内の任意の線速度における最適記録パワーを算出する手段と、
を有することを特徴とする光ディスク装置。
【請求項６】
請求項５記載の装置において、さらに、
算出された前記最内周位置における最適記録パワーにより記録されたデータのβ値と目標β値との第３の相違を検出して前記第１の相違を更新し、かつ、算出された前記最外周位置における最適記録パワーにより記録されたデータのβ値と目標β値との第４の相違を検出して前記第２の相違を更新する手段と、
を有することを特徴とする光ディスク装置。
【発明の詳細な説明】
【技術分野】
【０００１】
本発明は光ディスク装置、特に記録パワーの最適化に関する。
【背景技術】
【０００２】
従来より、ＤＶＤ±ＲやＤＶＤ±ＲＷ等のデータ記録可能な光ディスクにデータを記録する際に、記録パワーを最適化する技術が用いられている。ＣＬＶ制御された光ディスクでは、内周側のテストエリアでＯＰＣを実行して最適記録パワーを設定するが、ＣＡＶでは半径位置に応じて線速度が順次増大するので、内周側のＯＰＣで設定された最適記録パワーをさらに線速度の比率を用いて調整する必要がある。なお、ＣＡＶ制御には、内周から外周まで連続的に線速度が半径位置に比例して増大するフルＣＡＶ制御の他、光ディスクの一部のエリア、特に内周側だけをＣＡＶ制御するパーシャルＣＡＶ制御、光ディスクを半径位置に応じて複数のゾーンに分割し、各ゾーン毎にＣＡＶ制御を行うゾーンＣＡＶ制御等がある。記録パワーの最適化は、これらＣＡＶ制御の方式に応じて決定される。
【０００３】
下記の特許文献１には、ＣＡＶ制御において記録パワーを最適化する技術が開示されている。１６倍速から４８倍速まで記録速度を連続的に変更可能な光ディスク装置において、記録領域の最内周では１６倍速、記録領域の最外周では４８倍速で記録を行い、最内周から最外周まで線形的に記録速度を変化させる。光ディスク装置は、予め以下のような処理を行っておく。まず、光ディスクの記録領域に４つのゾーンを割り当てる。各ゾーンの最小記録速度と最大記録速度との記録速度差（速度変化量）は、８倍速である。すなわち、第１ゾーンは１６倍速から２４倍速まで、第２ゾーンは２４倍速から３２倍速まで、第３ゾーンは３２倍速から４０倍速まで、第４ゾーンは４０倍速から４８倍速まで、記録速度が変化する。光ディスク装置は、各ゾーンの記録パワー関数を求めるために、各ゾーンの端部の記録速度でＯＰＣを行って最適記録パワーを求める。すなわち、１６倍速、２４倍速、３２倍速、４０倍速、及び４８倍速の５つの記録速度で最適記録パワーを求めて、各ゾーンの記録パワー関数として一次関数を得ておく。各ゾーンの記録パワー関数は、第１ゾーンがＹ＝ａ１Ｘ＋ｂ１、第２ゾーンがＹ＝ａ２Ｘ＋ｂ２、第３ゾーンがＹ＝ａ３Ｘ＋ｂ３、及び第４ゾーンがＹ＝ａ４Ｘ＋ｂ４であり、傾きａ１〜ａ４は固定値であり、ｙ切片ｂ１〜ｂ４は仮の値を求めておき、データ記録時に補正して最終的に決定する。このように設定された記録パワー関数は、記憶部に格納される。
【０００４】
光ディスク装置は、ユーザデータを記録する際に、ＰＣＡへ試し書きデータのテスト記録を行う。ＯＰＣは、初期記録速度である１６倍速にて行う。テスト記録した箇所を再生して最適なレーザパワーを設定する。また、設定した最適レーザパワー及び記録速度を用いて、第１ゾーンの記録パワー関数を補正する。すなわち、第１ゾーンの記録パワー関数Ｙ＝ａ１Ｘ＋ｂ１のｙ切片ｂ１を得る。光ディスク装置のレーザパワー制御回路は、第１ゾーンの記録パワー関数Ｙ＝ａ１Ｘ＋ｂ１に従ったレーザパワーの光ビームが光ピックアップから照射されるように、レーザドライバを制御する。
【０００５】
第１ゾーンでのデータ記録が進み、第１ゾーンの端部に差し掛かると、次のゾーン（第ｎ＋１ゾーン）に記録するデータがあるか否か判定する。引き続きデータを記録する場合は、その時（第１ゾーン及び第２ゾーンの端部の時）の記録速度及び記録パワーから、記憶部から読み出した第２ゾーンの記録パワー関数を補正する。すなわち、第２ゾーンの記録パワー関数Ｙ＝ａ２Ｘ＋ｂ２のｙ切片ｂ２を得る。そして、第２ゾーンの記録パワー関数Ｙ＝ａ２Ｘ＋ｂ２に従ったレーザパワーとなるように、レーザドライバを制御する。
【０００６】
【特許文献１】特開２００３−２８１７２４号公報
【発明の開示】
【発明が解決しようとする課題】
【０００７】
このように、ＣＡＶ制御において光ディスクを複数のゾーンに分割し、各ゾーンにおいて記録パワー関数を仮に定めてデータ記録時に補正して最終的に決定することは有効であるが、簡易にかつ確実に記録パワー関数を設定できることが望ましい。
【０００８】
本発明の目的は、ＣＡＶ制御（パーシャルＣＡＶ、ゾーンＣＡＶ制御を含む）される光ディスクにデータを記録する際の記録パワーを最適化することができる光ディスク装置を提供することにある。
【課題を解決するための手段】
【０００９】
本発明は、光ディスクにデータを記録する光ディスク装置であって、前記光ディスクを内周側から外周側に向けて線速度が増大するように駆動する駆動手段と、所定線速度において最適記録パワーを設定する手段と、前記光ディスクを半径方向に複数のゾーンに分割し、あるゾーンの最内周位置における最適記録パワーを、前記所定線速度における最適記録パワーと、前記所定線速度と前記最内周位置における線速度の比、並びに前記最内周位置において記録されたデータのβ値と目標β値との相違に基づいて算出する手段と、算出された最内周位置における最適記録パワーに基づき、前記あるゾーン内の任意の線速度における最適記録パワーを算出する手段とを有することを特徴とする。
【００１０】
また、本発明は、光ディスクにデータを記録する光ディスク装置であって、前記光ディスクを内周側から外周側に向けて線速度が増大するように駆動する駆動手段と、所定線速度において最適記録パワーを設定する手段と、前記光ディスクを半径方向に複数のゾーンに分割し、あるゾーンの最外周位置における最適記録パワーを、前記所定線速度における最適記録パワーと、前記所定線速度と前記最外周位置における線速度の比、並びに前記最外周位置において記録されたデータのβ値と目標β値との相違に基づいて算出する手段と、算出された最外周位置における最適記録パワーに基づき、前記あるゾーン内の任意の線速度における最適記録パワーを算出する手段とを有することを特徴とする。
【００１１】
また、本発明は、光ディスクにデータを記録する光ディスク装置であって、前記光ディスクを内周側から外周側に向けて線速度が増大するように駆動する駆動手段と、所定線速度において最適記録パワーを設定する手段と、前記光ディスクを半径方向に複数のゾーンに分割し、あるゾーンの最内周位置における最適記録パワーを、前記所定線速度における最適記録パワーと、前記所定線速度と前記最内周位置における線速度の比、並びに前記最内周位置において記録されたデータのβ値と目標β値との第１の相違に基づいて算出する手段と、前記あるゾーンの最外周位置における最適記録パワーを、前記所定線速度における最適記録パワーと、前記所定線速度と前記最外周位置における線速度の比、並びに前記最外周位置において記録されたデータのβ値と目標β値との第２の相違に基づいて算出する手段と、算出された最内周位置における最適記録パワー及び最外周位置における最適記録パワーに基づき、前記あるゾーン内の任意の線速度における最適記録パワーを算出する手段とを有することを特徴とする。
【発明の効果】
【００１２】
本発明によれば、精度良く最適記録パワーを設定することができ、これにより高品質でデータを記録することができる。
【発明を実施するための最良の形態】
【００１３】
以下、図面に基づき本発明の実施形態について説明する。
【００１４】
＜基本構成＞
図１に、本実施形態における光ディスク装置の機能ブロック図を示す。本実施形態の光ディスク装置は、ＤＶＤ±Ｒ、ＤＶＤ±ＲＷ、ＤＶＤ−ＲＡＭ等のデータ記録可能な光ディスクにレーザ光を照射してデータを記録するとともに、光ディスクからの反射光を受光して光ディスクに記録されたデータを再生するピックアップ１、ピックアップ１に記録系信号を供給するとともにピックアップ１からの再生信号を入力して処理する信号処理部２、及び各部の動作を制御するコントローラ３を含んで構成される。光ディスクは半径位置に応じて線速度が変化するＣＡＶ駆動制御される。ＣＡＶ制御としてはパーシャルＣＡＶ、ゾーンＣＡＶ、フルＣＡＶのいずれでもよいが、本実施形態では線速度が連続的に半径位置に比例して増大する（線速度Ｖ＝ｒ・ω：半径ｒ、角速度ω）フルＣＡＶを例にとり説明する。
【００１５】
ピックアップ１は、再生時には再生パワーのレーザ光を光ディスクに照射しその反射光を受光し、記録時には記録パワーのレーザ光を光ディスクに照射してデータを記録する。記録パルス波形は再生パワー（バイアスパワー）に記録パワーを重畳した波形である。書換可能な光ディスク装置にデータを記録する場合、再生パワーに消去パワー及び記録パワーを重畳した波形である。記録パワーのタイミングでピットが形成される。
【００１６】
信号処理部２は、エンコーダ及びデコーダを含み、記録時にはコントローラ３から供給された記録すべきデータをエンコードしてピックアップ１に供給し、再生時にはピックアップ１から供給された再生信号をデコードしてコントローラ３に供給する。信号処理部２は、再生時には再生信号のβ値やジッタ、エラーレート、γ値等を検出してコントローラ３に供給する。β値はＡＣ結合された再生ＲＦ信号のピークレベルをＡ、ボトムレベルをＢとすると、β＝（Ａ＋Ｂ）／（Ａ−Ｂ）で定義される値である。β値はＯＰＣ実行時に用いられるとともに、ＯＰＣにより設定された最適記録パワーを線速度の比率に応じてデータ記録すべき線速度に応じた値に変換する際の調整量を算出するために用いられる。
【００１７】
コントローラ３は、システム全体を制御するが、本実施形態では特に記録パワーを調整する。すなわち、変化する線速度に応じた最適記録パワーを算出してピックアップ１のレーザ光パワーを調整する。コントローラ３のメモリには、工場出荷段階でファームウェアとして調整量が記憶されており、この調整量に従って最適記録パワーを調整する。光ディスクは論理的に複数のゾーンに分割され、記録パワー関数は各ゾーン毎に決定されメモリに記憶される。記録パワー関数は、パワーをＰ、線速度（あるいは半径）をＶとした場合に、一次関数でＰ＝ａ・Ｖ＋ｂで定義される。傾きａ及び切片ｂは、各ゾーンの端点、すなわち各ゾーンの最内周における線速度と記録パワー、最外周における線速度と記録パワーから決定される。各ゾーンにおける最内周及び最外周の記録パワーは、基本的には所定線速度における最適記録パワーに線速度の比率を乗じることで簡易的に算出できるが、あくまで近似値にすぎず最適値である保証はない。そこで、本実施形態におけるコントローラ３は、各ゾーンにおける最内周及び最外周におけるβ値、すなわち記録済みデータを再生して得られる再生信号のβ値を用いて近似値を調整することで最適記録パワーを算出する。
【００１８】
図２に、コントローラ３の機能ブロック図を示す。コントローラ３は、ＯＰＣ実行部３ａ、最内周パワー調整部３ｂ、最外周パワー調整部３ｃ、メモリ３ｄ及びパワー調整部３ｅを有する。
【００１９】
ＯＰＣ実行部３ａは、光ディスクのある線速度、例えば光ディスクの最内周位置にあるＰＣＡエリアの線速度においてＯＰＣを実行して最適記録パワーを設定する。すなわち、記録パワーを複数段階に変化させてテストデータを試し書きし、該テストデータを再生して得られる再生信号のβ値を算出し、予め設定された目標β値に一致する（あるいは最も近い）記録パワーを最適記録パワーに設定する。
【００２０】
最内周パワー調整部３ｂは、光ディスクの各ゾーンにおける最内周での調整量を算出する。調整量は、最内周におけるβ値と目標β値との相違で与えられる。すなわち、最内周における近似最適記録パワーは、ＯＰＣで設定された最適記録パワーＰｏに、ＯＰＣでの線速度と最内周における線速度との比率であるＣＡＶ記録パワー比（最内周での線速度／ＯＰＣでの線速度）を乗じることで算出され、この近似最適記録パワーでデータを記録したときのβ値と目標β値を比較することで調整量を算出する。算出した調整量はメモリ３ｄに記憶される。
【００２１】
最外周パワー調整部３ｃは、光ディスクの各ゾーンにおける最外周での調整量を算出する。調整量は、最外周におけるβ値と目標β値との相違で与えられる。すなわち、最外周における近似最適記録パワーは、ＯＰＣで設定された最適記録パワーＰｏに、ＯＰＣでの線速度と最外周における線速度との比率であるＣＡＶ記録パワー比（最外周での線速度／ＯＰＣでの線速度）を乗じることで算出され、この近似最適記録パワーでデータを記録したときのβ値と目標β値を比較することで調整量を算出する。算出した調整量はメモリ３ｄに記憶される。
【００２２】
パワー調整部３ｅは、最内周パワー調整部３ｂで算出された各ゾーンの最内周での調整量、及び最外周パワー調整部３ｃで算出された各ゾーンの最外周での調整量を用いて、各ゾーンにおける任意の位置での記録パワーを記録パワー関数Ｐ＝ａＶ＋ｂを用いて算出する。ここで、（ａ、ｂ）は、各ゾーンの最内周での線速度と最適記録パワー、及び最外周での線速度と最適記録パワーから決定される。メモリ３ｄには、各ゾーン毎の最内周での調整量と最外周での調整量が記憶されているから、パワー調整部３ｅは各ゾーンの最内周での最適記録パワー及び最外周での最適記録パワーを算出することで（ａ、ｂ）を設定できる。各ゾーンの最内周での最適記録パワーは、ＯＰＣの線速度における最適記録パワーＰｏ、最内周での線速度とＯＰＣの線速度の比Ｒｉ、及び最内周の調整量Ｍｉを用いて、
最内周での最適記録パワー＝Ｐｏ・Ｒｉ・Ｍｉ
で算出される。同様に、各ゾーンの最外周での最適記録パワーは、Ｐｏ、最外周での線速度とＯＰＣの線速度の比Ｒｏ、及び最外周の調整量Ｍｏを用いて、
最外周での最適記録パワー＝Ｐｏ・Ｒｏ・Ｍｏ
で算出される。
【００２３】
さらに、パワー調整部３ｅは、実際にユーザがデータを記録する際に、メモリ３ｄに記憶された各ゾーン毎の最内周の調整量と最外周の調整量を学習により更新してメモリ３ｄに記憶する。すなわち、メモリ３ｄに記憶された調整量は特定の光ディスクにテストデータを記録して得られた値であり、ユーザが記録しようとする光ディスクとの特性の相違を考慮すると調整量自体が最適でない可能性があるからである。パワー調整部３ｅは、光ディスクにユーザデータを記録した後に該ユーザデータのβ値を測定し、目標βとの相違に基づいてメモリ３ｄに記憶された調整量を更新していく。
【００２４】
図３に、本実施形態の最適記録パワー算出方法を模式的に示す。光ディスクを複数のゾーンに論理的に分割する。図３ではゾーンＩ、ゾーンＩＩ、ゾーンＩＩＩの３つのゾーン
を示す。ゾーンＩでは例えば線速度は４倍速（Ｘ４）から８倍速（Ｘ８）まで変化し、ゾーンＩＩでは８倍速から１２倍速（Ｘ１２）まで変化し、ゾーンＩＩＩでは１２倍速から１６倍速（Ｘ１６）まで変化する。ゾーン内における線速度の変化幅は任意に設定し得る。また、各ゾーンにおける線速度の変化幅は同一である必要はない。
【００２５】
ゾーンＩＩに着目すると、ゾーンＩＩの最内周の線速度は８倍速であり、最外周の線速度は１２倍速である。ゾーンＩＩの最内周での近似的な最適記録パワーは、ＯＰＣでの線速度を２倍速とした場合に、Ｐｏ・８／２＝４・Ｐｏとなる。一方、ゾーンＩＩの最内周において、この近似的最適記録パワーでテストデータを記録した場合のβ値と目標β値とを比較する。β値は、図４に示すように一般に記録パワーとともに増大し、目標値βｏが得られる記録パワーが最適記録パワーとされる。最内周におけるβ値が目標β値であるβｏから乖離している場合、その分だけ記録パワーＰも最適記録パワーＰｏに対してずれていることになる。そこで、ずれ量Δ１をβとβｏとの相違に基づいて調整する。調整量（％）は、
調整量Ｍｉ＝１００−（β−βｏ）
で与えられる。この調整量Ｍｉを用いて近似的最適記録パワーを調整し、最内周における最適記録パワーＰ２（内）を
Ｐ２（内）＝４・Ｐｏ・Ｍｉ
で算出する。
【００２６】
一方、最外周も最内周と同様であり、ゾーンＩＩの最外周での近似的な最適記録パワーは、ＯＰＣでの線速度を２倍速とした場合に、Ｐｏ・１２／２＝６・Ｐｏとなる。一方、ゾーンＩＩの最外周において、この近似的最適記録パワーでテストデータを記録した場合のβ値と目標β値とを比較する。調整量（％）は、
調整量Ｍｏ＝１００−（β−βｏ）
で与えられる。この調整量Ｍｏを用いて近似的最適記録パワーを調整し、最外周における最適記録パワーＰ２（外）を
Ｐ２（外）＝６・Ｐｏ・Ｍｏ
で算出する。β値を用いてずれ量Δ２を解消すると表現することができる。ゾーンＩＩ内の任意の位置における最適記録パワーは、最内周における最適記録パワーＰ２（内）と、最外周における最適記録パワー２（外）から容易に算出することができる。すなわち、Ｐ＝ａＶ＋ｂからａとｂとを決定し、決定された記録パワー関数を用いて各位置、つまりゾーンＩＩ内の各線速度Ｖにおける最適記録パワーを算出する。
【００２７】
図５に、本実施形態の基本処理フローチャートを示す。各ゾーン毎の最内周での調整量Ｍｉ及び最外周での調整量Ｍｏが既にメモリ３ｄに記憶されているものとする。すなわち、工場出荷段階で既に調整量Ｍｉ及びＭｏを算出してファームウェアとしてメモリ３ｄに記憶させているものとする。ユーザがユーザデータを記録する場合、まず、光ディスクの最内周に設けられているテストエリア（ＰＣＡエリア）でＯＰＣを実行し、最適記録パワーＰｏを設定する（Ｓ１０１）。目標β値であるβｏもメモリ３ｄに記憶されており、目標βｏが得られる記録パワーを最適記録パワーとする。次に、ＯＰＣで設定された最適記録パワーＰｏと、記録すべきゾーンの最内周の線速度の比Ｒｉ並びに最内周の調整量Ｍｉを用いて最内周における最適記録パワーを
最適記録パワー＝Ｐｏ・Ｒｉ・Ｍｉ
により算出する。同様に、ＯＰＣで設定された最適記録パワーＰｏと、記録すべきゾーンの最外周の線速度の比Ｒｏ並びに最外周の調整量Ｍｏを用いて最外周における最適記録パワーを
最適記録パワー＝Ｐｏ・Ｒｏ・Ｍｏ
により算出する（Ｓ１０２）。ゾーンの最内周と最外周の最適記録パワーを算出した後、そのゾーンの任意の線速度における最適記録パワーを
Ｐ＝ａＶ＋ｂ
により算出する（Ｓ１０３）。以上のようにして最適記録パワーを算出し、データを記録する（Ｓ１０４）。
【００２８】
本実施形態において、ゾーン内の任意の位置あるいは任意の線速度における最適記録パワーをＰ＝ａＶ＋ｂで算出しているが、必ずしもＰ＝ａＶ＋ｂの記録パワー関数を用いる必要はなく、最内周における最適記録パワーあるいは最外周における最適記録パワーを線速度の比率だけ定倍して最適記録パワーを算出してもよい。この場合、調整量としては最内周の調整量あるいは最外周の調整量だけで足りる。例えば、最内周の調整量Ｍｉだけメモリ３ｄに記憶し、最内周の最適記録パワーをＰｏ・Ｒｉ・Ｍｉにより算出し、当該ゾーン内における任意の線速度における最適記録パワーをＰ＝Ｐｏ・Ｒｉ・Ｍｉ・ｒにより算出する。ここに、ｒはそのゾーン内における線速度の比率である。傾きａを所定の値とし、最内周における最適記録パワーを用いてＰ＝ａＶ＋ｂにおける切片ｂを求めてそのゾーンにおける任意の線速度における最適記録パワーを算出してもよい。最外周における最適記録パワーを用いて切片ｂを求めてもよい。要するに、最内周あるいは最外周における最適記録パワーをβ値から求めた調整量なる概念を用いて算出し、同じゾーン内の任意の半径位置あるいは線速度における最適記録パワーは、このようにして求めた最内周の最適記録パワーあるいは最外周の最適記録パワーの少なくともいずれかに基づいて算出すればよい。
【００２９】
また、Ｓ１０４でデータを記録した後に、記録済みデータのβ値をβｏと比較し、新たに調整量Ｍｉ’、Ｍｏ’を算出してメモリ３ｄに記憶された調整量Ｍｉ、Ｍｏを更新してもよい。この場合、工場出荷時に算出された調整量をユーザが自動的にカスタマイズすることになる。
【００３０】
＜詳細構成＞
図６に、光ディスク装置の全体構成図を示す。ＤＶＤ±Ｒ等の記録可能な光ディスク１０はスピンドルモータ（ＳＰＭ）１２によりＣＡＶ駆動される。スピンドルモータＳＰＭ１２は、ドライバ１４で駆動され、ドライバ１４はサーボプロセッサ３０により所望の回転速度となるようにサーボ制御される。
【００３１】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、駆動電流が所望の値となるように制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００３２】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００３３】
アドレス信号の１つの例はウォブル信号であり、光ディスク１０の絶対アドレスを示す時間情報の変調信号で光ディスク１０のトラックをウォブルさせ、このウォブル信号を再生信号から抽出しデコードすることでアドレスデータ（ＡＴＩＰ）を得ることができる。また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００３４】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは記録品質に影響することから、データ記録に先立って最適化が行われる。すなわち、光ディスク１０の所定のテストエリアにおいて記録ストラテジを種々変化させてテストデータを試し書きし、試し書きしたテストデータを再生してその信号品質を評価する。そして、評価結果に基づいて最適な記録ストラテジが選択される。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に格納されている記録データと照合する。ベリファイの結果はシステムコントローラ３２に供給される。システムコントローラ３２はベリファイの結果に応じて引き続きデータを記録するか、あるいは交替処理を実行するかを決定する。
【００３５】
システムコントローラ３２は、システム全体の動作を制御し、記録に先立つＯＰＣ（Optimum Power Control：記録パワーの最適化）を実行するとともに各線速度における最適記録パワーを算出する。ＯＰＣでは、光ディスク１０のテストエリアに記録パワーを階段状に変化させてテストデータを試し書きし、試し書きしたテストデータを再生してβ値やγ値、エラーレート、変調度、ジッタ等を測定する。そして、これらの再生信号品質に基づき最適記録パワーＰｏを設定する。ＯＰＣはあくまで所定のテストエリアにおいて実行されるため、テストエリアの線速度における最適記録パワーであって、線速度が異なる半径位置における最適記録パワーではない。一般に、ある線速度Ｖ１における記録パワーＰ１を線速度Ｖ２（Ｖ２＞Ｖ１）において照射しようとすると、Ｐ１・Ｖ２／Ｖ１だけの記録パワーが必要となる。但し、これは近似であって、より高い記録品質を得るためにはより高精度に記録パワーを算出する必要がある。システムコントローラ３２は、光ディスクを複数のゾーンに論理的に分割する。具体的には、ゾーンＩ、ゾーンＩＩ、ゾーンＩＩＩの３つのゾーンに分割する。各ゾーンにおける線速度の変化幅は以下のとおりである。
ゾーンＩ（８倍速エリア）：６倍速〜８倍速
ゾーンＩＩ（１２倍速エリア）：８倍速〜１２倍速
ゾーンＩＩＩ（１６倍速エリア）：１２倍速〜１６倍速
【００３６】
なお、ゾーンＩの本来の最内周の線速度は６．６倍速であるが、ゾーンＩはＰＣＡに隣接し、ＰＣＡでは６倍速でＯＰＣを実行するため実質的に最内周を６倍速としている。システムコントローラ３２のメモリには、予めファームウェアとして各ゾーンＩ、ＩＩ、ＩＩＩ毎に最内周調整量Ｍｉ、最外周調整量Ｍｏが算出されて記憶されており、各ゾーンにおける最内周調整量Ｍｉ及び最外周調整量Ｍｏを用いて最適記録パワーを算出する。
【００３７】
図７及び図８に、詳細フローチャートを示す。図７は、工場出荷時点での処理である。まず、特定光ディスクを装着し、該光ディスクの最内周のＰＣＡエリアにおいてＯＰＣを実行し最適記録パワーＰｏを設定する（Ｓ２０１）。すなわち、記録パワーを複数段階に変化させながらテストデータを試し書きし、該テストデータを再生して得られるβ値が目標β値であるβｏとなる記録パワーを選択する。次に、あるゾーン（例えば内周側から順次処理するとした場合のゾーンＩ）の最外周で、記録パワーＰｏ・Ｒｏで記録したときのβ値を測定する（Ｓ２０２）。ここに、Ｒｏ＝（最外周の線速度）／（ＯＰＣの線速度）である。β値を測定した後、予めシステムコントローラ３２のメモリに記憶されている目標β値であるβｏと比較し、ゾーンＩの最外周での調整量ＭｏをＭｏ＝１００−（β−βｏ）により算出する（Ｓ２０３）。算出された調整量Ｍｏはメモリに記憶される（Ｓ２０４）。
【００３８】
次に、同一ゾーンの最内周で、記録パワーＰｏ・Ｒｉで記録したときのβ値を測定する（Ｓ２０５）。ここに、Ｒｉ＝（最内周の線速度）／（ＯＰＣの線速度）である。なお、ゾーンＩの最内周はＲｉ＝１であるためこのような処理は不要である。β値を測定した後、最内周における調整量ＭｉをＭｉ＝１００−（β−βｏ）により算出する（Ｓ２０６）。算出された調整量Ｍｉはメモリに記憶される（Ｓ２０７）。
【００３９】
以上の処理を全てのゾーンＩ、ＩＩ、ＩＩＩについて実行することで（Ｓ２０８）、各ゾーンにおける最内周調整量Ｍｉ及び最外周調整量Ｍｏがメモリに記憶される。
【００４０】
図８は、工場出荷後のユーザによるデータ記録時の処理である。光ディスクを装着し、光ディスクの種類等の情報を取得した後、ＰＣＡエリアにてＯＰＣを実行して最適記録パワーＰｏを設定する（Ｓ２０９）。なお、このとき設定された最適記録パワーＰｏはＳ２０１で設定したＰｏと一致するとは限らない。次に、データを記録すべきゾーンの最内周調整量Ｍｉ及び最外周調整量Ｍｏをメモリから読み出して、最内周及び最外周における最適記録パワーを算出する。具体的には、最内周における最適記録パワーＰ（内）を
Ｐ（内）＝Ｐｏ・Ｒｉ・Ｍｉ
により算出し、最外周における最適記録パワーＰ（外）を
Ｐ（外）＝Ｐｏ・Ｒｏ・Ｍｏ
により算出する（Ｓ２１０）。同じゾーン内の任意の線速度における最適記録パワーは、両端における最適記録パワーが算出されているので、一次関数Ｐ＝ａＶ＋ｂから容易に求めることができる（Ｓ２１１）。
【００４１】
以上のようにして最適記録パワーを算出した後、ユーザデータを記録する（Ｓ２１２）。最適記録パワーは調整量Ｍｉ、Ｍｏで調整されたパワーであり、調整量はβ値に基づいて算出された値であるから、記録されたデータはβ値が目標β値に近い、記録品質に優れたデータとなる。
【００４２】
但し、メモリに記憶された調整量Ｍｉ、Ｍｏは特定の光ディスクを対象として算出された値であるから、ユーザがデータを記録しようとする光ディスクにとって最適な調整量とは限らない。そこで、Ｓ２１２でデータを記録した後、記録したデータのβ値を測定して調整量Ｍｉ、Ｍｏの適否を検証する。すなわち、Ｓ２１２でデータを記録した後、該データを再生してβ値を測定し、β値を目標β値であるβｏと比較して
Ｍｉ’＝１００−（β−βｏ）
Ｍｏ’＝１００−（β−βｏ）
により調整量を新たに算出する（Ｓ２１３）。なお、データをｎ回記録した場合には、ｎ回の平均として調整量Ｍｉ’、Ｍｏ’を算出してもよい。そして、新たに算出した調整量をメモリに記憶して更新する（Ｓ２１４）。更新する際に、前回の調整量との重み付け加算で更新してもよい。すなわち、新たな調整量＝αＭｉ＋βＭｉ’等である（０＜α＜１、０＜β＜１）。Ｍｏについても同様である。
【００４３】
以上、本発明の実施形態について説明したが、本発明は上記の実施形態に限定されるものではなく種々の変更が可能である。
【００４４】
例えば、本実施形態では、最内周調整量Ｍｉと最外周調整量Ｍｏをそれぞれ算出してメモリに格納しているが、最内周調整量Ｍｉと最外周調整量Ｍｏが一定の関係を有するものとして、最内周調整量Ｍｉのみをβ値から算出し最外周調整量ＭｏをＭｉから算出する、あるいは最外周調整量Ｍｏのみをβ値から算出して最内周調整量ＭｉをＭｏから算出してもよい。この場合、更新も最内周調整量Ｍｉあるいは最外周調整量Ｍｏのいずれかで行えばよい。
【００４５】
さらに、本実施形態では各ゾーン内の任意の線速度における最適記録パワーを最内周における最適記録パワーと最外周における最適記録パワーを用いて算出しているが、ゾーン数を適当な数とし、あるゾーンにおける記録パワーを最内周あるいは最外周における最適記録パワーに固定して記録してもよい。この場合においても、少なくとも最内周あるいは最外周における最適記録パワーはメモリに記憶された調整量を用いて調整されており、本発明に含まれる。
【００４６】
本実施形態では、例えばゾーンＩＩに着目すると、Ｐ（内）をＰｏ・Ｒｉ・Ｍｉとしているが、ゾーンＩＩのＰ（外）をＰｏ・Ｒｏ・Ｍｏで求めたら、そのＰ（外）を利用してゾーン内の最内周と最外周との線速比（Ｒ＝最内周線速／最外周線速比）から、Ｐ（内）＝Ｐ（外）・Ｒ・Ｍｉ＝Ｐｏ・Ｒｏ・Ｍｏ・Ｒ・Ｍｉとすることも可能である。すなわち、あるゾーン内の最内周あるいは最外周のどちらかをＯＰＣにＰｏに基づいて設定し、他方はゾーン内の線速比に基づいて設定することも可能である。
【図面の簡単な説明】
【００４７】
【図１】実施形態の基本構成図である。
【図２】図１におけるコントローラの機能ブロック図である。
【図３】実施形態の記録パワー調整説明図である。
【図４】記録パワーとβ値との関係を示すグラフ図である。
【図５】実施形態の基本フローチャートである。
【図６】実施形態の詳細構成図である。
【図７】実施形態の詳細フローチャート（その１）である。
【図８】実施形態の詳細フローチャート（その２）である。
【符号の説明】
【００４８】
１  ピックアップ、２  信号処理部、３  コントローラ、１０  光ディスク、３２  システムコントローラ。
【図１】
2008004231.tif 000003
【図２】
2008004231.tif 000004
【図３】
2008004231.tif 000005
【図４】
2008004231.tif 000006
【図５】
2008004231.tif 000007
【図６】
2008004231.tif 000008
【図７】
2008004231.tif 000009
【図８】
2008004231.tif 000010